【手続補正書】
【提出日】平成22年8月16日(2010.8.16)
【手続補正１】
【補正対象書類名】明細書
【補正対象項目名】００５１
【補正方法】変更
【補正の内容】
【００５１】
【表１】
2010503428.tif 000001
本出願では、以下の態様が提供される。
１．  前側腰部区画とそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区域に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、前記前側部区画が、前記後側部区画の延長を可能にするとともに、前記後側部区画が着用者に適合されたとき、おむつ上の前記側部に折り込まれて、前記収縮された腰部開口部を作るように適合された、使い捨て吸収性衣類。
２．  前記後側部区画及び前記前側部区画が、重なり区域においてそれらの末端部で接合された別個の材料である、態様１に記載の使い捨て吸収性衣類。
３．  締結具タブが後側部区画に取り付けられた、態様１に記載の使い捨て吸収性衣類。
４．  ＯＷＣのＡＦＷＣに対する周囲比が１．２５を超える、態様１に記載の使い捨て吸収性衣類。
５．  ＯＷＣのＡＦＷＣに対する周囲比が１．４を超える、態様１に記載の使い捨て吸収性衣類。
６．  ＦＳＳＨのＢＳＳＨに対する比が０．６未満である、態様１に記載の使い捨て吸収性衣類。
７．  前記後側部区画の下縁部が輪郭を付けられた、態様１に記載の使い捨て吸収性衣類。
８．  ＦＳＳＨのＢＳＳＨに対する比が０．５未満である、態様１に記載の使い捨て吸収性衣類。
９．  ＦＰＰＡのＢＰＰＡに対する比が１．２を超える、態様１に記載の使い捨て吸収性衣類。
１０．  ＦＰＰＡのＢＰＰＡに対する比が２を超える、態様１に記載の使い捨て吸収性衣類。
１１．  ＦＰＰＡのＢＰＰＡに対する比が３を超える、態様１に記載の使い捨て吸収性衣類。
１２．  前記前側部区画の長さが対応する前記後側部区画の長さよりも少なくとも１０％長い、態様１に記載の使い捨て吸収性衣類。
１３．  前記前側部区画の長さが対応する前記後側部区画の長さよりも少なくとも２０％長い、態様１に記載の使い捨て吸収性衣類。
１４．  前記前側部区画の長さが対応する前記後側部区画の長さよりも少なくとも５０％長い、態様１に記載の使い捨て吸収性衣類。
１５．  前記前側部区画が、延長されていない対応する前記後側部区画よりも長くなるように拡張可能である、態様１に記載の使い捨て吸収性衣類。
１６．  前記前側部区画が、前記前側部区画の長さの５〜６０％にわたって弾性セグメントを有することによって拡張可能である、態様１５に記載の使い捨て吸収性衣類。
１７．  前記前側部区画がもろいセグメントを備える、態様９に記載の使い捨て吸収性衣類。
１８．  前記衣類が、前記前側部区画がシャーシの重なり区域と側部区画の重なり区域との間に１つ以上のＺ字形の折り目を有するようにして折り畳まれる、態様８に記載の使い捨て吸収性衣類。
１９．  前側腰部区画及びそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が、上縁部及び下縁部をそれぞれ有する弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＦＳＳＨのＢＳＳＨに対する比が０．６未満である、使い捨て吸収性衣類。
２０．  前記後側部区画及び前記前側部区画が、重なり区域においてそれらの末端部で接合された別個の材料である、態様１９に記載の使い捨て吸収性衣類。
２１．  ＯＷＣのＡＦＷＣに対する周囲比が１．２５を超える、態様１９に記載の使い捨て吸収性衣類。
２２．  ＯＷＣのＡＦＷＣに対する周囲比が１．４を超える、態様１９に記載の使い捨て吸収性衣類。
２３．  ＦＳＳＨのＢＳＳＨに対する比が０．５未満である、態様１９に記載の使い捨て吸収性衣類。
２４．  ＦＰＰＡのＢＰＰＡに対する比が１．２を超える、態様１９に記載の使い捨て吸収性衣類。
２５．  ＦＰＰＡのＢＰＰＡに対する比が２を超える、態様１９に記載の使い捨て吸収性衣類。
２６．  前記前側部区画の長さが対応する前記後側部区画の長さよりも少なくとも１０％長い、態様１９に記載の使い捨て吸収性衣類。
２７．  前側腰部区画とそれに対向する後側腰部区画と、前記腰部区域の間に配置され、それらを相互接続する股区域とを有するシャーシを含む使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＯＷＣのＡＦＷＣに対する比が１．２５を超える、使い捨て吸収性衣類。
２８．  ＯＷＣのＡＦＷＣに対する周囲比が１．４を超える、態様２７に記載の使い捨て吸収性衣類。
２９．  ＦＳＳＨのＢＳＳＨに対する比が０．６未満である、態様２７に記載の使い捨て吸収性衣類。
３０．  ＦＰＰＡのＢＰＰＡに対する比が１．２を超える、態様２７に記載の使い捨て吸収性衣類。
３１．  ＦＰＰＡのＢＰＰＡに対する比が２を超える、態様２７に記載の使い捨て吸収性衣類。
３２．  前記前側部区画の長さが対応する前記後側部区画の長さよりも少なくとも１０％長い、態様２７に記載の使い捨て吸収性衣類。
３３．  前側腰部区画とそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＦＰＰＡのＢＰＰＡに対する比が１．２を超える、使い捨て吸収性衣類。
３４．  前記後側部区画及び前記前側部区画が、重なり区域においてそれらの末端部で接合された別個の材料である、態様３３に記載の使い捨て吸収性衣類。
３５．  ＯＷＣのＡＦＷＣに対する周囲比が１．２５を超える、態様３３に記載の使い捨て吸収性衣類。
３６．  ＯＷＣのＡＦＷＣに対する周囲比が１．４を超える、態様３３に記載の使い捨て吸収性衣類。
３７．  ＦＳＳＨのＢＳＳＨに対する比が０．５未満である、態様３３に記載の使い捨て吸収性衣類。
３８．  ＦＰＰＡのＢＰＰＡに対する比が２を超える、態様３３に記載の使い捨て吸収性衣類。
３９．  ＦＰＰＡのＢＰＰＡに対する比が３を超える、態様３３に記載の使い捨て吸収性衣類。
４０．  前記前側部区画の長さが対応する前記後側部区画の長さよりも少なくとも１０％長い、態様３３に記載の使い捨て吸収性衣類。
４１．  使い捨て吸収性衣類のパッケージであって、前記使い捨て吸収性衣類が、前側腰部区域とそれに対向する後側腰部区画と、前記腰部区画の間に配置され、それらを相互接続する股区域とを有するシャーシを包含し、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、前記前側部区画が、前記後側部区画の延長を可能にするとともに、前記後側部区画が前記着用者に適合されたとき、前記おむつ上の前記側部に折り込まれて、前記収縮された腰部開口部を作るように適合され、前記パッケージ内では、前記後側部区画の末端部と関連付けられた前記締結要素が、前記シャーシの前記前側腰部区画の中央区域とは係合されない、パッケージ。
４２．  前記前側部区画が前記シャーシの内面に折り込まれる、態様４１に記載の使い捨て吸収性衣類。
４３．  前記前側部区画が前記シャーシの外面上に折り畳まれる、態様４１に記載の使い捨て吸収性衣類。
４４．  前記後側部区画及び前記前側部区画が、重なり区域においてそれらの末端部で接合された別個の材料である、態様４１に記載の使い捨て吸収性衣類。
４５．  ＯＷＣのＡＦＷＣに対する周囲比が１．２５を超える、態様４１に記載の使い捨て吸収性衣類。
４６．  ＯＷＣのＡＦＷＣに対する周囲比が１．４を超える、態様４１に記載の使い捨て吸収性衣類。
４７．  ＦＳＳＨのＢＳＳＨに対する比が０．５未満である、態様４１に記載の使い捨て吸収性衣類。
４８．  ＦＰＰＡのＢＰＰＡに対する比が２を超える、態様４１に記載の使い捨て吸収性衣類。
４９．  ＦＰＰＡのＢＰＰＡに対する比が３を超える、態様４１に記載の使い捨て吸収性衣類。
５０．  前記前側部区画の長さが対応する前記後側部区画の長さよりも少なくとも１０％長い、態様４１に記載の使い捨て吸収性衣類。
【手続補正２】
【補正対象書類名】特許請求の範囲
【補正対象項目名】全文
【補正方法】変更
【補正の内容】
【特許請求の範囲】
【請求項１】
前側腰部区画とそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区域に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、前記前側部区画が、前記後側部区画の延長を可能にするとともに、前記後側部区画が着用者に適合されたとき、おむつ上の前記側部に折り込まれて、前記収縮された腰部開口部を作るように適合された、使い捨て吸収性衣類。
【請求項２】
前側腰部区画及びそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が、上縁部及び下縁部をそれぞれ有する弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＦＳＳＨのＢＳＳＨに対する比が０．６未満である、使い捨て吸収性衣類。
【請求項３】
前側腰部区画とそれに対向する後側腰部区画と、前記腰部区域の間に配置され、それらを相互接続する股区域とを有するシャーシを含む使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＯＷＣのＡＦＷＣに対する比が１．２５を超える、使い捨て吸収性衣類。
【請求項４】
前側腰部区画とそれに対向する後側腰部区画と、前記腰部区域の間に配置され、それらを相互接続する股区域とを有するシャーシを包含する使い捨て吸収性衣類であって、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、ＦＰＰＡのＢＰＰＡに対する比が１．２を超える、使い捨て吸収性衣類。
【請求項５】
使い捨て吸収性衣類のパッケージであって、前記使い捨て吸収性衣類が、前側腰部区域とそれに対向する後側腰部区画と、前記腰部区画の間に配置され、それらを相互接続する股区域とを有するシャーシを包含し、二組の側部区画が前記前側及び後側腰部区画の間を延びるとともにそれらを接続し、側部区画の各組が弾性後側部区画及び前側部区画を備え、前記弾性後側部区画と前記シャーシの前記前側及び後側腰部区画とがともに、前記使い捨て吸収性衣類の収縮された連続する腰部を規定し、前記使い捨て吸収性衣類の脚部開口部が、前記弾性後側部区画の下部及び前記シャーシの前記股区域によって規定され、前記前側部区画が、前記シャーシの前記前側腰部区画の側縁部に取り付けられるとともに、対応する後側部区画に接合され、前記後側部区画が、前記シャーシの前記後側腰部区画の側縁部に取り付けられるとともに、対応する前記前側部区画に接合され、前記前及び後側部区画が延長されたとき、拡張された腰部及び脚部開口部を形成し、前記後側部区画の末端部と関連付けられた締結要素が、前記シャーシの前記前側腰部区画の中央区域と係合されたとき、再締結可能なクロージャーを形成して、収縮された前記腰部及び脚部開口部を作るように適合され、前記前側部区画が、前記後側部区画の延長を可能にするとともに、前記後側部区画が前記着用者に適合されたとき、前記おむつ上の前記側部に折り込まれて、前記収縮された腰部開口部を作るように適合され、前記パッケージ内では、前記後側部区画の末端部と関連付けられた前記締結要素が、前記シャーシの前記前側腰部区画の中央区域とは係合されない、パッケージ。